(57)【要約】【課題】輝度ムラを生じることなく、反射板の導光板に対する接着強度を向上させることが可能なバックライトユニット、電気光学装置、および電子機器を提供することを目的とする。【解決手段】本発明に係るバックライトユニットは、光を出射する複数の点光源と、前記点光源からの光が入射される入射面、入射された光が出射される出射面、および前記出射面と対向する対向面とを有する導光板と、前記導光板の前記対向面から出射される光を前記出射面側に反射する反射部材と、を備え、前記点光源同士の間の領域であり、前記点光源からの光が照射されない領域である前記対向面上の非照明領域と前記反射部材とが接着されている。【選択図】        図１−２
2005276753.tif 000002
【特許請求の範囲】
【請求項１】
光を出射する複数の点光源と、
前記点光源からの光が入射される入射面、入射された光が出射される出射面、および前記出射面と対向する対向面とを有する導光板と、
前記導光板の前記対向面から出射される光を前記出射面側に反射する反射部材と、
を備え、
前記点光源同士の間の領域であり、前記点光源からの光が照射されない領域である前記対向面上の非照明領域と前記反射部材とが接着されていることを特徴とするバックライトユニット。
【請求項２】
前記非照明領域は、前記入射面の近傍に形成されていることを特徴とする請求項１に記載のバックライトユニット。
【請求項３】
前記反射部材は、両面テープで接着されていることを特徴とする請求項１または請求項２に記載のバックライトユニット。
【請求項４】
前記点光源はＬＥＤであることを特徴とする請求項１〜請求項３のいずれか１つに記載のバックライトユニット。
【請求項５】
光を出射する複数の点光源と、前記点光源からの光が入射される入射面と入射された光が出射される出射面と出射面と対向する対向面とを有する導光板と、前記導光板の前記対向面から出射される光を前記出射面側に反射する反射部材とを備え、前記点光源同士の間の領域であり前記点光源からの光が照射されない領域である前記対向面上の非照明領域と前記反射部材とが接着されているバックライトユニットと、
電気光学物質を備え画像を表示するための表示パネルと、
前記点光源が実装されたフレキシブルプリント基板を備え、
前記フレキシブルプリント基板は、前記点光源が前記導光板の前記入射面に対向する位置に配置されるように前記表示パネルに実装され、当該フレキシブルプリント基板の一端側が前記反射部材に接着されていることを特徴とする電気光学装置。
【請求項６】
前記導光板の前記対向面上であり、前記表示パネルの有効表示領域と重ならない領域である非有効表示エリアの少なくとも一部と、前記反射部材とが接着されていることを特徴とする請求項５に記載の電気光学装置。
【請求項７】
前記フレキシブルプリント基板は、前記一端側の他端側が前記表示パネルに固定されていることを特徴とする請求項５に記載の電気光学装置。
【請求項８】
請求項５〜請求項７のいずれか１つに記載の電気光学装置を搭載したことを特徴とする電子機器。
【発明の詳細な説明】
【技術分野】
【０００１】
本発明は、バックライトユニット、電気光学装置、および電子機器に関し、詳細には、導光板と反射板の接着強度を向上させたバックライトユニット、電気光学装置、および電子機器に関する。
【背景技術】
【０００２】
近年、コンピュータ、携帯電話機等といった電子機器に液晶装置が広く用いられている。この液晶装置は、一般に、電極を備えた一対の基板によって液晶を挟持し、電極間に電圧を印加して液晶の配向を制御し、これにより、液晶を通過する光を変調して像の表示を行う。
【０００３】
液晶装置を液晶への光の供給の仕方に基づいて区別すると、一方の基板の外面又は内面に設けた反射板によって外光を反射する構造の反射型液晶装置や、一方の基板の外側に設けた照明装置によって液晶へ光を平面的に供給する構造の透過型液晶装置や、外光がある場合には反射型として機能すると共に外光が不十分な場合には透過型として機能する半透過半反射型液晶装置等といった各種の液晶装置が知られている。
【０００４】
透過型液晶装置や半透過半反射型液晶装置等のように照明装置を用いて液晶へ光を供給する方式の液晶装置として、従来、発光源としてＬＥＤ（Light Emitting Diode）等といった発光素子を用いる構造のものが知られている。液晶装置の照明装置は、光源、導光板、反射板を主たる構成要素としている。ＬＥＤを液晶装置の照明装置に使用する場合に、液晶パネルに接続されるＦＰＣの導光板と対向する位置にＬＥＤを実装し、ＦＰＣの他端を導光板の下面に設けられた反射板に貼り付ける方式が提案されている（例えば、特許文献１参照）。
【０００５】
ＦＰＣの一端を反射板に貼り付ける方式の場合は、ＦＰＣの重さのために、反射板が撓んで、導光板から出射される照明光に輝度ムラが生じることがある。この反射板の撓みを防止するために、反射板は、通常、導光板に両面テープで固定される。
【０００６】
【特許文献１】特開２００１−３３０８３０号公報
【発明の開示】
【発明が解決しようとする課題】
【０００７】
しかしながら、反射板の導光板に対する接着強度を向上させるために、導光板の光源側の端部に反射板を両面テープで固定する方式では、両面テープが接着される導光板部分の光が照射される照明領域で不要な拡散が起き、光出射面の一部が異常に明るく光るという輝度ムラが生じるという問題がある。
【０００８】
本発明は、上記に鑑みてなされたものであり、輝度ムラを生じることなく、反射板の導光板に対する接着強度を向上させることが可能なバックライトユニット、電気光学装置、および電子機器を提供することを目的とする。
【課題を解決するための手段】
【０００９】
上述した課題を解決し、目的を達成するために、本発明は、光を出射する複数の点光源と、前記点光源からの光が入射される入射面、入射された光が出射される出射面、および前記出射面と対向する対向面とを有する導光板と、前記導光板の前記対向面から出射される光を前記出射面側に反射する反射部材と、を備え、前記点光源同士の間の領域であり、前記点光源からの光が照射されない領域である前記対向面上の非照明領域と前記反射部材とが接着されていることを特徴とする。
【００１０】
これにより、導光板の点光源の光が入射されない対向面上の非照明領域と反射部材とを接着しているので、この非照明領域には、点光源からの出射光は入射されず、また、反射板部材による反射光も入射されないため、輝度ムラを生じることなく均一な輝度の照明光を供給することができ、また、反射部材を導光板に強固に固定することが可能となる。この結果、輝度ムラを生じることなく、反射板の導光板に対する接着強度を向上させることが可能なバックライトユニットを提供することができる。
【００１１】
また、本発明の好ましい態様によれば、前記非照明領域は、前記入射面の近傍に形成されていることが望ましい。これにより、導光板の入射面近傍の非照明領域を有効に利用することが可能となる。
【００１２】
また、本発明の好ましい態様によれば、前記反射部材は、両面テープで接着されていることが望ましい。これにより、低コストかつ簡単な方法で導光板に反射部材を接着させることが可能となる。
【００１３】
また、本発明の好ましい態様によれば、前記点光源はＬＥＤであることが望ましい。これにより、これにより、低コストな点光源を使用することが可能となる。
【００１４】
上述した課題を解決し、目的を達成するために、本発明は、光を出射する複数の点光源と、前記点光源からの光が入射される入射面と入射された光が出射される出射面と出射面と対向する対向面とを有する導光板と、前記導光板の前記対向面から出射される光を前記出射面側に反射する反射部材とを備え、前記点光源同士の間の領域であり前記点光源からの光が照射されない領域である前記対向面上の非照明領域と前記反射部材とが接着されているバックライトユニットと、電気光学物質を備え画像を表示するための表示パネルと、前記点光源が実装されたフレキシブルプリント基板を備え、前記フレキシブルプリント基板は、前記点光源が前記導光板の前記入射面に対向する位置に配置されるように前記表示パネルに実装され、当該フレキシブルプリント基板の一端側が前記反射部材に接着されていることを特徴とする。
【００１５】
これにより、導光板の点光源の光が入射されない対向面上の非照明領域と反射部材とを接着しているので、この非照明領域には、点光源からの出射光は入射されず、また、反射板部材による反射光も入射されないため、輝度ムラを生じることなく均一な輝度の照明光を供給することができ、また、反射部材を導光板に強固に固定することが可能となる。さらに、フレシキブルプリント基板を反射板に固定する構成においても、反射板の導光板に対する接着強度を向上させているため、反射板が撓むことがなく、反射板の撓みによる輝度ムラを防止することができ、高品質な画像表示を行うことが可能となる。この結果、輝度ムラを生じることなく、反射板の導光板に対する接着強度を向上させることが可能な電気光学装置を提供することができる。
【００１６】
また、本発明の好ましい態様によれば、前記導光板の前記対向面上であり、前記表示パネルの有効表示領域と重ならない領域である非有効表示エリアの少なくとも一部と、前記反射部材とが接着されていることが望ましい。これにより、導光板に対する反射部材の接着強度をより向上させることが可能となる。
【００１７】
また、本発明の好ましい態様によれば、前記フレキシブルプリント基板は、前記一端側の他端側が前記表示パネルに固定されていることが望ましい。これにより、フレキシブルプリント基板を折り曲げて使用する方式の場合においても、反射板の撓みによる輝度ムラを防止することが可能となる。
【００１８】
また、本発明の好ましい態様によれば、電子機器は本発明の電気光学装置を搭載することが望ましい。これにより、輝度ムラのない高品質な画像表示を行うことが可能な電子機器を提供することが可能となる。
【発明を実施するための最良の形態】
【００１９】
以下、この発明につき図面を参照しつつ詳細に説明する。なお、この実施の形態によりこの発明が限定されるものではない。また、下記実施の形態における構成要素には、当業者が容易に想定できるものまたは実質的に同一のものが含まれる。以下の実施例では、電気光学装置として液晶表示装置を例示して説明するが、本発明はこれに限られるものではない。
【実施例１】
【００２０】
図１は本発明の実施例１に係る電気光学装置１の構成例を示す図であり、図１−１は実施例１に係る電気光学装置１の斜視図、図１−２は図１−１のＡ−Ａ断面図を示している。
【００２１】
図１に示すように、電気光学装置１は、画像を表示するための液晶表示パネル１０と、液晶表示パネル１０に貼付けられた偏光板２０および偏光板３０と、ＬＥＤ６０の入射光を導光する導光板４０と、導光板４０から出射される光を表示面側に反射する反射板５０と、光源である複数のＬＥＤ６０と、液晶表示パネル１０の表示基板１０ｂにＣＯＧ実装されたドライバＩＣ７０と、液晶表示パネル１０の表示基板１０ｂから反射板５０の裏面側に引き回され、導光板４０の側面にＬＥＤ６０が配置されるように実装するＦＰＣ（Flexible Printed Circuits）８０とを、例えばプラスチックからなり、枠形状を呈するフレーム（筐体）９０内に収容して構成される。
【００２２】
液晶表示パネル１０は、対向して配置された二枚の表示基板１０ａおよび表示基板１０ｂの間に液晶が封入されて構成されている。表示基板１０ａおよび表示基板１０ｂはガラスで構成される。表示基板１０ａには、不図示のカラーフィルタ、ＩＴＯ膜で形成された第１の電極、および配向膜等が形成されている。表示基板１０ｂには、不図示のＴＦＤやＴＦＴ等のスイッチング素子、ＩＴＯ膜で形成された第２の電極、および配向膜等が形成されている。また、表示基板１０ｂは、表示基板１０ａよりもＹ軸方向に平面的に突き出た突き出し部１０ｂ１を有している。
【００２３】
この突き出し部１０ｂ１の表面には、液晶表示パネル１０を駆動するためのドライバＩＣ７０がＣＯＧ実装されており、また、突き出し部１０ｂ１の表面端部には、ドライバＩＣ７０およびＬＥＤ６０に信号を供給するためにＦＰＣ８０がＡＣＦ等で実装されている。なお、ドライバＩＣ７０は、ＣＯＧ実装する構成に限られるものではなく、ＦＰＣ８０に実装するＣＯＦ構造（Chip On Film）を採用することにしても良い。このＦＰＣ８０は内側に折り曲げられ、その一端側が反射板５０に両面テープ（接着手段）８１で固定される。
【００２４】
この液晶表示パネル１０では、対向して配置された二枚の表示基板１０ａおよび表示基板１０ｂに形成された第１の電極および第２の電極間に電荷を与えて電界を形成し、カラーフィルタに対応した位置の液晶の配向を変化させて画素を点灯／消灯させる。
【００２５】
表示基板１０ａおよび表示基板１０ｂの背面側（光射出側及び光入射側）の面には、使用する液晶の種類、すなわち、ＴＮ（ツイステッドネマティック）モード、ＳＴＮ（スーパーＴＮ）モード、Ｄ−ＳＴＮ（ダブル−ＳＴＮ）モード等々の動作モードや、ノーマリホワイトモード／ノーマリブラックモードの別に応じて、偏光板２０および偏光板３０が所定の向きに貼付配置される。
【００２６】
偏光板２０および偏光板３０は、ポリビニルアルコール（ＰＶＡ）フィルムを一方向に延伸し、ヨウ素または２色性色素を含む溶液に浸すことにより、ヨウ素または２色性色素を吸着させ、偏向機能を与え、更に保護膜としてセルロース系のフィルムを被覆して作製する。また、偏光板２０および偏光板３０の偏光方向は、ＰＶＡフィルムの延伸方向で決定される。
【００２７】
偏光板３０の液晶表示パネル１０とは反対の側には、バックライトユニットが配置されている。バックライトユニットは、導光板４０の側端面にその光出射面６１が対向して配置されるＬＥＤ６０と、その側端面からＬＥＤ６０の光を入射して導光する導光板４０と、導光板４０の偏光板３０とは反対の側に配置され、導光板４０から射出される光を表示面側に反射する反射板５０とで構成される。反射板５０は、導光板４０に両面テープ（接着手段）５１で固定される。また、バックライトユニットは、必要に応じて、導光板４０の表面に、導光板４０から出射される光を拡散する拡散シートと、拡散シートで拡散された光を偏光するプリズムシート等を設けることにしても良い。
【００２８】
つぎに、図２を参照して導光板４０を詳細に説明する。図２−１は導光板４０の斜視図、図２−２は、導光板４０の対向面４３を説明するための図を示している。図２−２において、ＬＥＤ６０の出射光の光路の一部を破線Ｓで示している。導光板４０は、透光性材料からなり、図２に示すように、ＬＥＤ６０から出射される光が入射される側端面である入射面４１、入射面４１から入射された光を導光板外部に出射する出射面４２、出射面４２と対向する対向面４３を備えている。その他の３面は入射した光が洩れないように反射面となっており、必要に応じて反射材が備えられる。
【００２９】
入射面４１側は、ＬＥＤ６０が対向配置されている。また、対向面４３には、入射面４１の近傍位置に、ＬＥＤ６０同士の間の領域であり、ＬＥＤ６０から出射された光が照射されない死角の領域となる非照明領域（非入射領域）に両面テープ５１を貼着して反射板５０を固定するための固定領域４０Ａが形成されている。反射板５０は、対向面４３から洩れた光を再度導光板４０内に戻す。
【００３０】
導光板４０への反射板５０の固定は、固定領域４０Ａに両面テープ５１を貼着し更に両面テープ５１と反射板５０の端部を貼着することでなされる。反射板５０の導光板４０の固定領域４０Ａに対応する領域に両面テープ５１を貼着した後、導光板４０に貼着することにしても良い。
【００３１】
上記構成の導光板４０では、ＬＥＤ６０からの光は入射面４１から導光板４０内に入射される。入射された光は、導光板４０内を伝播し、直接または対向面４３から出て反射板５０で反射され再び導光板４０内に入り、出射面４２から出射される。この場合、導光板４０の固定領域４０Ａに両面テープ５１を貼付けているが、この固定領域４０ＡにはＬＥＤ６０からの出射光は入射されず、また、反射板５０による反射光も入射されないため、輝度ムラを生じることなく、反射板５０を導光板４０に強固に固定することが可能となる。これにより、ＦＰＣ８０を反射板５０に両面テープ５１で固定した構成においても、ＦＰＣ８０の重さで反射板５０が撓むことがなく、反射板５０が撓むことで発生する輝度ムラも防止することができる。
【００３２】
なお、本実施例においては、接着手段として両面テープを使用することとしたが、他の接着手段である接着剤等を使用することにしても良い。
【実施例２】
【００３３】
実施例２は、さらに、導光板４０の入射面４１以外の面側の端部にあり、液晶表示パネル１０の表示領域と重ならず、表示に寄与しない非有効表示エリアに反射板５０を固定するための第２固定領域４０Ｂを形成した構成である。図３は、実施例２に係る導光板４０の構成を説明するための図である。導光板４０には、図３に示すように、導光板４０の両端の非有効表示エリアに第２固定領域４０Ｂを形成し、この第２固定領域４０Ｂに両面テープ５１を貼付け、反射板５０を固定する。このように、導光板４０の非有効表示エリアの少なくとも一部に両面テープ５１を貼着し、反射板５０を貼付けることにより、輝度ムラを生じることなく、さらに、反射板５０の導光板４０に対する接着強度を向上させることが可能となる。
【００３４】
なお、本発明は上記実施例に限定されるものではなく、上記実施例を組み合わせて実施可能である。
【００３５】
（電子機器への適用例）
次に、本発明に係る電気光学装置を適用可能な電子機器の具体例について図４を参照して説明する。図４−１は、本発明に係る電気光学装置を可搬型のパーソナルコンピュータ（いわゆるノート型パソコン）１００の表示部に適用した例を示す斜視図である。同図に示すように、パーソナルコンピュータ１００は、キーボード１０１を備えた本体部１０２と、本発明に係る電気光学装置を適用した表示部１０３とを備えている。図４−２は、本発明に係る電気光学装置を携帯電話機２００の表示部に適用した例を示す斜視図である。同図に示すように、携帯電話機２００は、複数の操作ボタン２０１のほか、受話口２０２、送話口２０３とともに、本発明に係る電気光学装置を適用した表示部２０４を備えている。
【産業上の利用可能性】
【００３６】
本発明にかかる電気光学装置は、透過型、反射型、および半透過型の電気光学装置に利用することができる。また、本発明にかかる電気光学装置は、パッシブマトリクス型の電気光学装置やアクティブマトリクス型の電気光学装置（例えば、ＴＦＴ（薄膜トランジスタ）やＴＦＤ（薄膜ダイオード）をスイッチング素子として備えた電気光学パネル）に利用することができる。さらに、本発明にかかる電気光学装置は、液晶表示装置に限らず、有機エレクトロルミネッセンス装置、無機エレクトロルミネッセンス装置、プラズマディスプレイ装置、電気泳動表示装置、電子放出表示装置（Field Emission DisplayおよびSurface-Conduction Electoron-Emitter Display等）、ＬＥＤ（ライトエミッティングダイオード）表示装置等のように、複数の画素毎に表示状態を制御可能な各種の電気光学装置に利用することができる。
【００３７】
本発明にかかる電気光学装置を搭載した電子機器は、携帯電話機、ＰＤＡ（Personal Digital Assistants）と呼ばれる携帯型情報機器、携帯型パーソナルコンピュータ、パーソナルコンピュータ、ワークステーション、デジタルスチルカメラ、車載用モニタ、デジタルビデオカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話機、およびＰＯＳ端末機などの電子機器に広く利用することができる。
【図面の簡単な説明】
【００３８】
【図１−１】実施例１に係る電気光学装置の斜視図。
【図１−２】実施例１に係る電気光学装置の断面図。
【図２−１】実施例１に係る導光板斜視図。
【図２−２】実施例１に係る導光板の裏面を説明するための図。
【図３】実施例２に係る導光板の裏面を説明するための図。
【図４−１】実施例に係る電気光学装置を備えたパソコンの斜視図。
【図４−２】実施例に係る電気光学装置を備えた携帯電話機の斜視図。
【符号の説明】
【００３９】
１  電気光学装置、１０  液晶表示パネル、１０ａ  表示基板、１０ｂ  表示基板、２０  偏光板、３０  偏光板、４０  導光板、４０Ａ  固定領域、４０Ｂ  第２固定領域、４１  入射面、４２  出射面、４３  対向面、５０  反射板、５１  両面テープ、６０  ＬＥＤ、７０  ドライバＩＣ、８０  ＦＰＣ、８１  両面テープ、９０  フレーム、１００  パーソナルコンピュータ、１０１  キーボード、１０２  本体部、１０３  表示部、２００  携帯電話機、２０１  操作ボタン、２０２  受話口、２０３  送話口、２０４  表示部
【図１−１】
2005276753.tif 000003
【図１−２】
2005276753.tif 000004
【図２−１】
2005276753.tif 000005
【図２−２】
2005276753.tif 000006
【図３】
2005276753.tif 000007
【図４−１】
2005276753.tif 000008
【図４−２】
2005276753.tif 000009